(57)【要約】【課題】現地作業の低減が図れ、製品据付精度の向上し、躯体ピットに予め敷設されている配管とピット内ブロック内の配管との接合が容易にできる据付施工法を提供すること。【解決手段】この躯体ピットに収められ、かつ鋼板で作られた枠体形状のピット内ブロックと、このピット内ブロックに内置されるブロック内配管、弁、配管支持架構等を含む内部付属器材とを有し、前記施設以外の製造工場で、前記内部付属器材を組み込んだピット内ブロックを搬送して前記躯体ピットに据え、ピット内ブロックの外側位置のところで、前記ブロック内配管の外側先端と躯体ピットの配管の先端とを突き合せ、この突き合せの調整は前記ブロック内配管を前後や上下左右等に動かして行い、前記ブロック内配管と配管の突き合せ部分を溶接することを特徴とする。【選択図】  図２
2005240481.tif 000002
【特許請求の範囲】
【請求項１】
プラント等の施設に設けられ、かつ配管や躯体配筋の先側が露出状態になっている躯体ピットと、この躯体ピットに収められ、かつ鋼板で作られた枠体形状のピット内ブロックと、このピット内ブロックに内置されるブロック内配管、弁、配管支持架構等を含む内部付属器材とを有し、
前記施設以外の製造工場で、前記内部付属器材を組み込んだピット内ブロックを搬送して前記躯体ピットに据え、
ピット内ブロックの外側位置のところで、前記ブロック内配管の外側先端と躯体ピットの配管の先端とを突き合せ、この突き合せの調整は前記ブロック内配管を前後や上下左右等に動かして行い、
前記ブロック内配管と配管の突き合せ部分を溶接することを特徴とする据え付け施工法。
【請求項２】
請求項１記載の据え付け施工法において、
前記ピット内ブロックの底部板に埋込金具用開口を形成し、前記底部板の上面に置かれる埋込金具用基板は前記埋込金具用開口の大きさよりも大き目に形成され、
前記埋込金具用基板は下方に垂下する複数のスタッドジベルを有し、前記複数のスタッドジベルは、前記埋込金具用開口の範囲内で縦横に動けるように埋込金具用開口の縁から離して内側寄りに配置され、前記埋込金具用開口の縁部近傍になる前記底部板の下面に当接するように設けられる押え板をスタッドジベルに溶接等で固定したことを特徴とする据え付け施工法。
【請求項３】
請求項２記載の据え付け施工法において、
前記埋込金具用基板は周縁近傍に溶接用穴を有し、前記ピット内ブロックを前記躯体ピットに据えた後に前記溶接用穴と底部板を溶接したことを特徴とする据え付け施工法。
【請求項４】
請求項２記載の据え付け施工法において、
前記ピット内ブロックを前記躯体ピットに据えた後に前記埋込金具用基板の周縁と前記底部板との隙間にコーキングを施すことを特徴とする据え付け施工法。
【請求項５】
請求項２記載の据え付け施工法において、
前記埋込金具用基板は上面より立ち上がるスリーブを有し、このスリーブに前記配管支持架構の下端側が上下方向に調整自在に支持されることを特徴とする据え付け施工法。
【請求項６】
請求項１記載の据え付け施工法において、
前記ピット内ブロックの側部板に前記ブロック内配管が貫通する配管用開口を設け、この配管用開口と前記ブロック内配管の外周との間に調整用隙間ができるように配管用開口をブロック内配管の外周よりも大きく形成したことを特徴とする据え付け施工法。
【請求項７】
請求項６記載の据え付け施工法において、
前記ピット内ブロックの内側には、前記調整用隙間を塞ぐ一対の穴仕舞プレートを設け、一対の穴仕舞プレートは前記ブロック内配管のところを境に端部が突合わされるように置かれ、一対の穴仕舞プレートには、突合わされる端部側にブロック内配管の外周に合う大きさの半円穴を設けたことを特徴とする据え付け施工法。
【請求項８】
請求項７記載の据え付け施工法において、
前記一対の穴仕舞プレートから差し込まれた各締め付けボルトは、前記ピット内ブロックの側部板、穴仕舞調整プレートに通されてナットに螺合され、ピット内ブロックの側部板に設けられた締め付けボルトが通される穴仕舞プレート調整用穴は、締め付けボルトが上下左右に動かせるように締め付けボルトの外径よりも大きいことを特徴とする据え付け施工法。
【請求項９】
請求項８記載の据え付け施工法において、
前記一対の穴仕舞プレートは溶接用穴を有し、前記調整用隙間を塞ぐように一対の穴仕舞プレートの端部を突合わせた後に溶接用穴と前記ピット内ブロックの側部板とを溶接したことを特徴とする据え付け施工法。
【請求項１０】
請求項９記載の据え付け施工法において、
前記穴仕舞プレートの半円穴と前記ブロック内配管との隙間、穴仕舞プレートの周縁と前記ピット内ブロックの側部板との隙間にコーキングを施したことを特徴とする据え付け施工法。
【請求項１１】
請求項１記載の据え付け施工法において、
前記ピット内ブロックの底部板には下面に底部補強部材を設け、この底部補強部材には
底部板に隣接する側にコンクリートが流通するコンクリート流通開口部を設けたことを特徴とする据え付け施工法。
【請求項１２】
請求項１記載の据え付け施工法において、
機器ドレン受口がピット内ブロックを搬送する前に前記躯体ピットの底部に敷設され、
前記ピット内ブロックの底部板には、前記機器ドレン受口が挿入されるドレン受口用開口を設け、このドレン受口用開口は機器ドレン受口の外周との間に逃げ隙間ができる程度に大きいことを特徴とする据え付け施工法。
【請求項１３】
請求項１２記載の据え付け施工法において、
前記ピット内ブロックの底部板の上面側には、前記逃げ隙間を塞ぐ一対のドレン受口用穴仕舞プレートを設け、一対のドレン受口用穴仕舞プレートは前記機器ドレン受口のところを境に端部が突合わされるように置かれ、一対のドレン受口用穴仕舞プレートには、突合わされる端部側に機器ドレン受口の外周に合う大きさの半円穴を設けたことを特徴とする据え付け施工法。
【発明の詳細な説明】
【技術分野】
【０００１】
本発明は、建築躯体のピット内に設定される配管、弁等を工場にて一体ブロックして躯体内に搬入、据付する工法を実現する為に考案したブロック内組込品の据付施工法に関するものである。
【背景技術】
【０００２】
躯体ピット内の据付は、従来、床、壁面がコンクリート状態で据付され、その後、ピット内に納められる配管、弁等が単品毎に据付されるが、この配管、弁等の据付は、非常に狭隘部の作業であり、現地据付工程及び製品据付精度に問題が発生し、これの改善を必要とした。
【０００３】
このような問題を改善するために予め工場で組み、組み立てた一体ブロックのままで搬送して据付する施工法は、例えば、特開２００３−４１６６１号公報（特許文献１）に示されている。
【０００４】
【特許文献１】特開２００３−４１６６１号公報
【発明の開示】
【発明が解決しようとする課題】
【０００５】
躯体ピットに収められピット内ブロック内に予め、配管、弁等を製作工場で組み込んで一体ブロック化したものを現地に搬送して躯体ピットに据え付けることにより、工場及び現地作業の並進化が図れ、工程上の問題が解決できる。
【０００６】
本発明は、更に改善を加え、現地作業の低減が図れ、製品据付精度の向上し、躯体ピットに予め敷設されている配管とピット内ブロック内の配管との接合が容易にできる据付施工法を提供することを目的とする。
【課題を解決するための手段】
【０００７】
本発明は、プラント等の施設に設けられ、かつ配管や配筋の先側が露出状態になっている躯体ピットと、この躯体ピットに収められ、かつ鋼板で作られた枠体形状のピット内ブロックと、このピット内ブロックに内置されるブロック内配管、弁、配管支持架構等を含む内部付属器材とを有し、前記施設以外の製造工場で、前記内部付属器材を組み込んだピット内ブロックを搬送して前記躯体ピットに据え、ピット内ブロックの外側位置のところで、前記ブロック内配管の外側先端と躯体ピットの配管の先端とを突き合せ、この突き合せの調整は前記ブロック内配管を前後や上下左右等に動かして行い、前記ブロック内配管と配管の突き合せ部分を溶接することを特徴とする。
【発明の効果】
【０００８】
本発明によれば、製作工場で、組み立ったブロック内配管、弁や配管支持架構等の内部付属器材を備えたピット内ブロックが現地に搬送され躯体ピットに据えられるので、現地狭隘エリアでの現地作業範囲が削減でき、工程短縮、製品据付精度向上が図られ、躯体ピットに予め敷設されている配管とピット内ブロック内の配管との接合が容易に行えるのである。
【発明を実施するための最良の形態】
【０００９】
以下、図を用いて本発明の実施形態に係わる実施例を説明する。
【００１０】
図１と図２を引用して従来の据え付け施工法と本発明の据え付け施工法を比べて述べる。
【００１１】
図１は従来の据え付け施工法、図２は本発明の据え付け施工法を示している。
【００１２】
従来の据え付け施工法は、躯体ピットのコンクリート据付（打ち込み）前にコンクリート流出防止用木製型枠１ａとピット周囲の躯体配筋１ｇを据付し、同時にコンクリート１ｈ内に埋設される配管１ｂ、ドレン管１ｅ、機器ドレン受口１ｃ、床ドレン受口１ｄ及び、埋込金具の埋込金具用基板１ｆを躯体配筋１ｇの間に設定（配置）する。
【００１３】
その配置をすませた後に、コンクリート流出防止用木製型枠１ａの外側にコンクリート１ｈを流し込み、コンクリート１ｈ硬化後、木製型枠１ａを取外す。この後、其処へブロック内配管１ｊ、弁１ｋ、配管支持架構１ｍ等を単品毎に搬入し、所定の位置へ据付る。
【００１４】
一方、図２に示す、本発明の据え付け施工法は、工場にて鋼板の底部板２ａ、鋼板の側部板２ｂを溶接して枠体形状のピット内ブロックを組立てる。このピット内ブロック内に内部付属器材のブロック内配管１ｊ、弁１ｋ、配管支持架構１ｍ、及び埋込金具等を組み込む。埋込金具は埋込金具用基板１ｆ、スタットジベル１ｎを有する。
【００１５】
鋼板製のピット内ブロックは、横巾、縦巾が１５００ｍｍ〜２００ｍｍ程度、丈が１８００ｍｍ程度で、重量が１．５トン程度である。
【００１６】
こうして一体ブロック化されたピット内ブロックを制作工場からプラント等の施設に搬送する。運ばれた一体ブロック化のピット内ブロックは、施設の躯体ピット内に降ろされ、据え付けが行われる。
【００１７】
躯体ピットには、先行して据付られた躯体配筋１ｇや配管１ｂが敷設されている。躯体配筋１ｇや配管１ｂの外側先端は、露出状態になっている。ピット内ブロックのブロック内配管１ｊは、先端側がピット内ブロックの外側に突き出ている。この突き出たブロック内配管１ｊの先端を配管１ｂの先端を突き合わせ、この突き合わせたところを溶接等で接合する。接合した後で、ピット内ブロックの外側にコンクリート１ｈを流し込み据付が完了する。ピット内ブロックの外側と躯体ピットとの間には、６００ｍｍから１０００ｍｍ程度の空間があり、作業者はその空間で入ってブロック内配管１ｊと配管１ｂの溶接等を行う。
【００１８】
本発明の実施例を図３〜図１７を加えて更に詳しく説明する。
【００１９】
図３、図４、図５は内部付属器材を組み込んだ一体ブロック化されたピット内ブロックの全体構造を示す。この一体ブロック化されたピット内ブロックは、工場で製作し、現地建屋内や施設の躯体ピットに搬入され、据付される。
【００２０】
ピット内ブロックは、工場で一体化する為に、従来の躯体コンクリート１ｈの床面に替わる鋼板の底部板２ａと躯体コンクリート壁面に替わる鋼板の側部板２ｂを溶接して一体構造物とする枠体形状にする。ピット内ブロックは、鋼板により枠体形状に構成されているので、工場で配管１ｊ、弁１ｋ等を組込んで一体化することが容易である。ピット内ブロックの上縁外周、中段外周、下部外周に枠体補強のコーナアングル６０が溶接で付けられている。
【００２１】
鋼板の底部板２ａや側部板２ｂで形成されているピット内ブロック内には、配管１ｊ、弁１ｋ、配管支持架構１ｍ等が製作工場で組込み据付けられる。従来、コンクリート１ｈによる躯体ピットが作られた後、この躯体ピット内の狭隘エリアで、据付られていたのとは違って、ブロック内配管１ｊ、弁１ｋ、配管支持架構１ｍ等を製作工場で予め組込み据付がされているので、ブロック内配管１ｊ、弁１ｋ、配管支持架構１ｍ等の組み込から組み立に至る現地での作業が大巾に削減され、現地の据付性が一段と向上する。
【００２２】
ピット内ブロックの底部板２ａには、下面側に底部補強部材４ａが設けられる。この底部補強部材４ａについては、後で詳しく述べる。
【００２３】
ピット内ブロックの側部板２ｂにもスタットジベル６１が設けられる。このスタットジベル６１がコンクリートに固められて側部板２ｂの据え付けが強固になる。
【００２４】
図７、図８、図９、図１０は、工場で製作されるピット内ブロックに組込まれる配管支持架構１ｍに取合う埋込金具の埋込金具用基板１ｆと鉄板底板２ａとの取合構造を示す。
【００２５】
工場で製作されたピット内ブロックに組込まれたブロック内配管１ｊは、図２に示すように躯体ピットに先行して躯体配筋の間内に据付られている配管１ｂが接合される。この接合の際、互いの配管に据付誤差が発生していても、ブロック内配管１ｊと配管１ｂとの取合位置を微調整しながらの据付作業ができる。これは、ブロック内配管１ｊがピット内ブロック内で容易に位置移動可能な構造にしているからである。
【００２６】
また、配管支持架構１ｍとブロック内配管１ｊが一体の状態で移動できなければ、ブロック内配管１ｊと配管支持架構１ｍとの据付は、従来通りの現地ピット内での狭隘作業となってしまう。現地での組立作業を極力削減する為には、制作工場でのピット内ブロック組立時に、ブロック内配管１ｊ、配管支持架構１ｍ、さらに、埋込金具用基板１ｆを一体の状態でピット内ブロック内に組込む必要がある。この為、埋込金具用基板１ｆと底部板２ａの取合構造は、底部板２ａに埋込金具用基板１ｆのスタッドジベル１ｎの取付け位置よりも大きく、かつ埋込金具用基板１ｆの外形よりも小さな埋込金具用開口を有する構成にした。
【００２７】
埋込金具のスタッドジベル１ｎを埋込金具用開口に挿入し、底部板２ａの上面側に埋込金具用基板１ｆを置き、図８、図９、図１０に示すようにスタッドジベル１ｎに押え板５ａを溶接して取付ける。
【００２８】
この押え板５ａが底部板２ａの下面に当接しているので、埋込金具用基板１ｆは底部板２ａに付いたまま縦横に摺動移動自在である。この摺動移動は、スタッドジベル１ｎが埋込金具用開口のところで動ける範囲内である。
【００２９】
このように埋込金具が底部板２ａの埋込金具用開口内で移動可能な構造としたことで、配管支持架構１ｍに支持される配管位置の水平移動が可能である。又、配管の上下移動は架構スリーブ６ａに挿入している配管支持架構１ｍをスライド可能タイプとし、配管１ｂとブロック内配管１ｊの取合時の配管位置微調整が可能となる構造とした。架構スリーブ６ａは、埋込金具用基板１ｆの上面に溶接等で固定され、配管支持架構１ｍの下端側が架構スリーブ６ａに上下方向に摺動自在にされているので、配管１ｂとブロック内配管１ｊの上下方向の位置合せが容易にできるのである。
【００３０】
埋込金具が底部板２ａの埋込金具用開口内で移動可能（縦横に移動可能）な構成は、埋込金具のスタットジベル１ｎと躯体配筋１ｇとの干渉回避をさせる上でも好適である。すなわち、一体ブロック化されたピット内ブロックを現地プラントの躯体ピット内に搬入して据える際に、スタットジベル１ｎが躯体配筋１ｇに搗ち合ってしまうと、ピット内ブロックの据え付けの支障になる。搗ち合いが生じたときは、埋込金具を縦横に摺動させて、その搗ち合いを解消することで、スタットジベル１ｎと躯体配筋１ｇとの干渉回避を容易に図ることができる。
【００３１】
こうして、所定の位置の据えた後は、埋込金具の埋込金具用基板１ｆと底部板２ａは埋込金具用基板１ｆ側から溶接用穴２０のところでプラグ溶接をする。この溶接で埋込金具と底部板２ａは一体になる。又、埋込金具用基板１ｆの周囲はコーキング材を用いてコーキング処理を施す。このコーキングで、埋込金具用基板１ｆと底部板２ａとの隙間が塞がれる。
【００３２】
図１１、図１２、図１３、図１４は、取合配管据付時の配管取合位置微調整を可能とする為に考えたピット内ブロックの側部板２ｂの配管貫通部の取合構造を示す。
【００３３】
ピット内ブロックの側部板２ｂにブロック内配管１ｊの外径よりも大きな配管用開口７０が開けられる。ブロック内配管１ｊの外周と配管用開口７０との間に調整用隙間２１が確保される。制作工場では、この配管用開口にブロック内配管１ｊを貫通させ、コンクリート流出防止の穴仕舞プレート７ａを取付ける。
【００３４】
調整用隙間２１を塞ぎ、コンクリート流出防止を図る一対の穴仕舞プレート７ａは、ブロック内配管１ｊのところを境に端部が突合わされるように置かれる。この端部の突合は、一方の穴仕舞プレート７ａを図１１のＰ矢印方向に動かすことで行われる。
【００３５】
一対の穴仕舞プレート７ａには、突合わされる端部側にブロック内配管１ｊの外周に合う大きさの半円穴が設けられる。この半円穴は配管用開口７０よりも小径であるので、調整用隙間２１を塞ぐことができるのである。
【００３６】
一対の穴仕舞プレート７ａは、締め付けボルト２２、穴仕舞調整プレート２３、ナット２４よりピット内ブロックの側部板２ｂに取り付けられる。ピット内ブロックの側部板２ｂに設けた穴仕舞プレート調整用穴２５は、締め付けボルト２２の外径よりも大きく形成されているので、締め付けボルト２２は上下左右に動ける。この上下左右移動により、穴仕舞調整プレート２３の調整移動を可能にしている。
【００３７】
締め付けボルト２２は、穴仕舞プレート７ａから差し込まれ、側部板２ｂの穴仕舞プレート調整用穴２５、穴仕舞調整プレート２３に通され、ナット２４に螺合される。ナット２４は穴仕舞調整プレート２３に溶接され、回り止めが行われている。
【００３８】
一体ブロック化されたピット内ブロックを現地プラントの躯体ピット内に搬入して据えた後に、ブロック内配管１ｊが先行して据付られた配管１ｂと接合（当接）される。接合位置７１はピット内ブロックの外側に位置している。
【００３９】
この接合の配管取合調整前に、締め付けボルト２２を緩め、配管取合調整後、締め付けボルト２２により穴仕舞プレート７ａを固定する。この後、穴仕舞プレート７ａに設けている溶接用穴２６のところをプラグ溶接して穴仕舞プレート７ａを側部板２ｂに固定する。配管の設定／据え付けが容易に行うことができるのである。又、ブロック内配管１ｊと穴仕舞プレート７ｂの周り及び側部板２ｂと穴仕舞プレート７ａの間は、コーキング処理し、コンクリート１ｈの流出防止とブロック内配管１ｊの固定が可能となり、養生材（保護材）や固定材の削除が可能（不要となる）となる効果がある。
【００４０】
図１５は、底部板２ａに取付けた鋼板製の底部補強部材４ａの構造を示す。
【００４１】
底部板２ａの下側には、鉄筋１ｇ、埋込金具のスタッドジベル１ｎ、機器ドレン受口１ｃ、床ドレン受口１ｄ、スタッドジベル１ｎが設定／敷設されている。これらの敷設物はコンクリート打設時にコンクリートの流動性を阻害する。そこで、コンクリートの流動性を良くする為、底部補強部材４ａの底部板２ａとの取合部側（隣接側）に長方形の開口部２７を設定し、この開口部２７から、コンクリートが底部板２ａの下側全体に均一に充填されることにより、コンクリート打設がし易く、かつ良く行われる効果がある。
【００４２】
底部補強部材４ａは、縦巾が５０ｍｍの鋼材で、開口部２７の長さは１５０ｍｍ、丈が３０ｍｍ程度である。この開口部２７を補強部材として機能を損ねない範囲で、多く設けることにより、コンクリートがよく行き亘り、丈夫な基礎が構築されるのである。
【００４３】
図１６、図１７は、機器ドレン受口の取付構造を示す。
【００４４】
一体ブロック化されたピット内ブロックが現地プラントの躯体ピット内に搬入されて据えられる際に、先行設定されている機器ドレン受口１ｃが底部板２ａの機器ドレン開口部２８に挿入される。機器ドレン開口部２８は、機器ドレン受口１ｃの外径よりも大きく形成されているので、機器ドレン受口１ｃの外周と機器ドレン開口部２８との間に調整用隙間２９ができる。この調整用隙間２９があるので、ピット内ブロックを現地プラントの躯体ピット内に据える際に機器ドレン受口１ｃと機器ドレン開口部２８との間に多少の寸法狂いがあっても機器ドレン受口１ｃは機器ドレン開口部２８に容易に挿入され、ピット内ブロックの据え付けが容易に行えるのである。
【００４５】
調整用隙間２９を塞ぎ、コンクリート流出防止を図る一対の穴仕舞プレート９ａは、機器ドレン受口１ｃのところを境に端部が突合わされるように置かれる。一対の穴仕舞プレート９ａには、突合わされる端部側に機器ドレン受口１ｃの外周に合う大きさの半円穴が設けられる。機器ドレン受口１ｃを挟むように一対の穴仕舞プレート９ａを取り付けて調整用隙間２９を塞いだ後に溶接用穴４０のところにプラグ溶接をして穴仕舞プレート９ａを底部板２ａに固定する。この後、機器ドレン受口１ｃと穴仕舞プレート９ａ及び、穴仕舞プレート９ａと底部板２ａとの間をコーキング処理することにより、コンクリート１ｈの流出防止可能な構造となる。
【００４６】
このようにして、狭いピット内ブロック内（現地狭隘エリア）での据付は行われるのであるが、予め製作工場で配管１ｊ、弁１ｋ、配管支持架構１ｍ等を含む内部付属器材を組み込ん一体ブロック化のピット内ブロックであるため、据え付け現地で個々の内部付属器材を組み込みながら組み立て作業をするものに比べて組み立に費やす工程や時間が大幅に少なくなる改善が図られた。
【００４７】
また、製作工場と現地での作業の並進化が図れ、現地据付作業も削減できることから工事工程の短縮化することができた。
【００４８】
またブロック内配管、弁等の現地での据付に際し、位置の微調整が容易にできるので、製品据付精度の向上が図られる。
【図面の簡単な説明】
【００４９】
【図１】従来の据え付け施工法の据付手順を示す図。
【図２】本発明の実施形態に係わる実施例を示すもので、据え付け施工法の据付手順を示す図。
【図３】本発明の実施形態に係わる実施例を示すもので、内部付属器材が置かれているピット内ブロックを上から見た平面図。
【図４】図３のＡ−Ａ断面を示した図である。
【図５】図３のＢ−Ｂ断面を示した図である。
【図６】本発明の実施形態に係わる実施例を示すもので、埋込金具と底部板取合構造を示す斜視図。
【図７】本発明の実施形態に係わる実施例を示すもので、埋込金具の埋込金具用基板を上から見た平面図。
【図８】図７のイ部拡大斜視図。
【図９】本発明の実施形態に係わる実施例を示すもので、埋込金具用基板、スタットジベル、底部板、架構スリーブ、配管支持架構、躯体配筋の関連構成を示す図。
【図１０】図９のロ部拡大図。
【図１１】本発明の実施形態に係わる実施例を示すもので、側部板、ブロック内配管、穴仕舞プレート、締め付けボルト等をピット内ブロックの内側から見た正面図。
【図１２】本発明の実施形態に係わる実施例を示すもので、ブロック内配管と調整用隙間との関係を示す図。
【図１３】本発明の実施形態に係わる実施例を示すもので、図１１を側面の方向から見た図。
【図１４】本発明の実施形態に係わる実施例を示すもので、図１１のハ部拡大図で穴仕舞調整プレートも併せて示している。
【図１５】本発明の実施形態に係わる実施例を示すもので、底部板と底部補強部材を示す斜視図。
【図１６】本発明の実施形態に係わる実施例を示すもので、機器ドレン受口と底部板の機器ドレン開口部２８とを示す斜視図。
【図１７】本発明の実施形態に係わる実施例を示すもので、底部板の調整用隙間を穴仕舞プレートで塞ぐところを示す斜視図。
【符号の説明】
【００５０】
１ｂ…配管、１ｃ…機器ドレン受口、１ｅ…ドレン配管、１ｆ…埋込金具の埋込金具用基板、１ｇ…躯体配筋、１Ｊ…ブロック内配管、１ｋ…弁、１ｍ…配管支持架構、１ｎ…埋込金具のスタットジベル、２ａ…底部板、２ｂ…側部板。
【図１】
2005240481.tif 000003
【図２】
2005240481.tif 000004
【図３】
2005240481.tif 000005
【図４】
2005240481.tif 000006
【図５】
2005240481.tif 000007
【図６】
2005240481.tif 000008
【図７】
2005240481.tif 000009
【図８】
2005240481.tif 000010
【図９】
2005240481.tif 000011
【図１０】
2005240481.tif 000012
【図１１】
2005240481.tif 000013
【図１２】
2005240481.tif 000014
【図１３】
2005240481.tif 000015
【図１４】
2005240481.tif 000016
【図１５】
2005240481.tif 000017
【図１６】
2005240481.tif 000018
【図１７】
2005240481.tif 000019